(57)【要約】【課題】各色光用の三角柱状支持部材の第２面側に反射型液晶パネルを取り付ける。【解決手段】ＲＧＢ３原色光に対応して各色光用の三角柱状支持部材（直角三角柱）３１を各色光ごとに用意し、この三角柱状支持部材３１の第１面３１ｃに各色光用のワイヤグリッド偏光子３２が取り付けられる共に、第２面３１ｄに各色光用の反射型液晶パネル３３が第２面３１ｄに対して位置調整された状態で各色光用の反射型液晶パネル３３の光軸方向（Ｋ方向）に調整可能に取り付けられ、更に、第３面３１ｅに各色光用の光透過性偏光板３５が取り付けられている。【選択図】図５
2007183396.tif 000002
【特許請求の範囲】
【請求項１】
Ｒ，Ｇ，Ｂの各色光を各色光用の信号で光変調する各色光用の反射型空間光変調素子と、
前記Ｒ光，Ｇ光，Ｂ光を、前記各色光用の反射型空間光変調素子にそれぞれ照明するための各色光照明手段と、
前記各色光照明手段からの各色光の第１偏光成分光を透過させて前記各色光用の反射型空間光変調素子に入射させ、該各色光用の反射型空間光変調素子で光変調して得られた各色光の第２偏光成分光を反射させる各色光用のワイヤグリッド偏光子と、
前記各色光用のワイヤグリッド偏光子で反射させた前記各色光の第２偏光成分光を色合成してカラー画像光を出射させる色合成光学系と、
前記色合成光学系の各入射面に対向して近接配置され、前記各色光用のワイヤグリッド偏光子が取り付けられる第１面と、前記各色光用の反射型空間光変調素子が位置調整機構部を介して取り付けられる第２面とを少なくとも有した各色光用の支持部材と、
前記色合成光学系からの前記カラー画像光を投射する投射レンズと、を備えた投射型表示装置であって、
前記位置調整機構部は、
前記各色光用の支持部材の第２面に着脱自在に取り付けられ、且つ、複数の位置決めピンを各色光用の反射型空間光変調素子の光軸方向に向かって固着した少なくとも一つ以上の位置決めピン支持板と、
前記各色光用の支持部材の第２面に対して位置調整した前記各色光用の反射型空間光変調素子を固着して、前記複数の位置決めピンに沿って該各色光用の反射型空間光変調素子の光軸方向に調整可能な反射型空間光変調素子支持板とから構成したことを特徴とする投射型表示装置。
【請求項２】
前記一つ以上の位置決めピン支持板及び前記反射型空間光変調素子支持板は、前記各色光用の支持部材と同じ材料を用いたことを特徴とする請求項１記載の投射型表示装置。
【発明の詳細な説明】
【技術分野】
【０００１】
本発明は、ＲＧＢ３原色光に対応して各色光ごとに用意した３つの反射型空間光変調素子に表示された各色の変調画像光を光学的に合成して、カラー画像光を投射レンズによりスクリーン上に拡大して表示する投射型表示装置に関するものである。
【背景技術】
【０００２】
最近、映像情報の多様化・高画質化が進み、ハイビジョン放送規格やコンピータ・グラフィクスのＳＶＧＡ規格に代表される高品質画像データが増加し、これに伴って高品質画像データを拡大表示するために投射型表示装置が盛んに利用されている。
【０００３】
この種の投射型表示装置のうちで３板式の投射型表示装置では、ＲＧＢ３原色光と対応して各色光ごとに用意した３つの空間光変調素子に表示された各色の変調画像光を光学的に合成して、カラー画像光を投射レンズによりスクリーン上に拡大して表示している。
【０００４】
この際、投射型表示装置は、これに適用される空間光変調素子の種類によって、透過型空間光変調素子を適用したもの、反射型空間光変調素子を適用したもの、ＤＭＤ（Ｄｉｇｉｔａｌ  Ｍｉｒｒｏｒ  Ｄｅｖｉｃｅ）を適用したものがある。
【０００５】
透過型空間光変調素子及びＤＭＤは、光学構成が比較的簡単にできるために小型化が容易であるが高解像度化に難がある。一方、反射型空間光変調素子は高解像度化に有利であるが光学構成が複雑となるために小型化に難がある。
【０００６】
とくに、反射型空間光変調素子を適用した投射型表示装置は、反射型空間光変調素子に照射される入射光と当該反射型空間光変調素子で光変調・反射された反射光とを分離するために偏光ビームスプリッタを必要とする。高コントラストを実現するためには一つの反射型空間光変調素子に対して、通常２つ以上の偏光ビームスプリッタを作用させるために、これが投射型表示装置の光学構成を複雑にしていたが、最近、複数の偏光ビームスプリッタを至近距離に配置してセラミックスベース等に接着固定し、光学系を構成することにより小型化を達成している。
【０００７】
この投射型表示装置において、ＲＧＢ３原色光に対応した３つの反射型空間光変調素子に表示された各色の変調画像光を光学的に合成する際、各色光用の反射型空間光変調素子の光学的画像合成手段に対する位置がずれれば、スクリーン上に拡大して表示したカラー画像光のレジストレーションがずれて画質を損なうことになる。
【０００８】
一方、近年高精細化によって表示画素数が多い反射型空間光変調素子が使われるようになり、一つの画素の大きさが１０μｍを切るようになってきており、反射型空間光変調素子中の一つの画素の大きさが数十μｍと大きい場合には数μｍの取り付け誤差は問題とならないが、一つの画素の大きさが１０μｍ以下になると、数μｍの取り付け誤差はレジズレとなって色ズレが発生してしまう。
【０００９】
そこで、本出願人は、反射型空間光変調素子の脱着作業を行ってもレジストレーション調整の精度が維持でき、且つ、反射型空間光変調素子を上下に配置したセラミックスベース材にしっかりと固定できる光学デバイスの製造方法及び投射表示装置を先に提案した（例えば、特許文献１参照）。
【特許文献１】特開２００４−３２５９１７号公報
【００１０】
従来の投射表示装置は上記した特許文献１（特開２００４−３２５９１７号公報）に開示されており、ここでの図示を省略するものの、ＲＧＢ３原色光と対応して各色光ごとに用意した３つの反射型空間光変調素子と、複数の偏光ビームスプリッタと、複数のカラー偏光フィルタとを上下方向からセラミックスベース材に固定し、且つ、上下のセラミックスベース材に複数の素子固定金具をセラミックス接着剤により接着して固定すると共に、反射型空間光変調素子を固定している素子パッケージをさらにレジストレーション調整を実施しながら複数の素子固定金具に半田付けにより固定している。こうすることにより、反射型空間光変調素子の脱着作業を行ってもセラミックスベース材及び素子パッケージに引き剥がし応力や熱の影響がおよばないのでレジストレーション調整の精度が維持でき、且つ、反射型空間光変調素子を上下に配置したセラミックスベース材にしっかりと固定できる。
【発明の開示】
【発明が解決しようとする課題】
【００１１】
ところで、上記した従来の投射型表示装置では、上述したように、反射型空間光変調素子を固定している素子パッケージをレジストレーション調整を実施しながら複数の素子固定金具に半田付けにより固定しているので、半田付けの熱が冷却した時に反射型空間光変調素子が位置ズレが起こる危険性があり、これによりレジズレが発生してしまう。
【００１２】
そこで、素子固定金具に半田付けすることなく各色光用の反射型空間光変調素子に対してレジストレーション調整を容易に行うことができ、且つ、偏光ビームスプリッタを用いずに、高いコントラス性能が得られる投射型表示装置が望まれている。
【課題を解決するための手段】
【００１３】
本発明は上記課題に鑑みてなされたものであり、請求項１記載の発明は、Ｒ，Ｇ，Ｂの各色光を各色光用の信号で光変調する各色光用の反射型空間光変調素子と、
前記Ｒ光，Ｇ光，Ｂ光を、前記各色光用の反射型空間光変調素子にそれぞれ照明するための各色光照明手段と、
前記各色光照明手段からの各色光の第１偏光成分光を透過させて前記各色光用の反射型空間光変調素子に入射させ、該各色光用の反射型空間光変調素子で光変調して得られた各色光の第２偏光成分光を反射させる各色光用のワイヤグリッド偏光子と、
前記各色光用のワイヤグリッド偏光子で反射させた前記各色光の第２偏光成分光を色合成してカラー画像光を出射させる色合成光学系と、
前記色合成光学系の各入射面に対向して近接配置され、前記各色光用のワイヤグリッド偏光子が取り付けられる第１面と、前記各色光用の反射型空間光変調素子が位置調整機構部を介して取り付けられる第２面とを少なくとも有した各色光用の支持部材と、
前記色合成光学系からの前記カラー画像光を投射する投射レンズと、を備えた投射型表示装置であって、
前記位置調整機構部は、
前記各色光用の支持部材の第２面に着脱自在に取り付けられ、且つ、複数の位置決めピンを各色光用の反射型空間光変調素子の光軸方向に向かって固着した少なくとも一つ以上の位置決めピン支持板と、
前記各色光用の支持部材の第２面に対して位置調整した前記各色光用の反射型空間光変調素子を固着して、前記複数の位置決めピンに沿って該各色光用の反射型空間光変調素子の光軸方向に調整可能な反射型空間光変調素子支持板とから構成したことを特徴とする投射型表示装置である。
【００１４】
更に、請求項２記載の発明は、請求項１記載の投射型表示装置において、
前記一つ以上の位置決めピン支持板及び前記反射型空間光変調素子支持板は、前記各色光用の支持部材と同じ材料を用いたことを特徴とする投射型表示装置である。
【発明の効果】
【００１５】
請求項１記載の投射型表示装置によると、とくに、各色光用の支持部材の第２面に各色光用の反射型空間光変調素子が第２面に対して位置調整された状態で各色光用の反射型空間光変調素子の光軸方向に調整可能に取り付けられているので、各色光用の反射型空間光変調素子はレジストレーション調整と、フォーカス調整とが終了した状態で各色光用の反射型空間光変調素子からの各色の変調画像光を３色合成クロスダイクロイックプリズムで色合成した時に、レジズレがなく、且つ、フォーカスが合ったカラー画像光が得られる。
【００１６】
また、従来のような半田付けを一切使用していないので、各色光用の反射型空間光変調素子の位置ズレが発生することもなく、色合成したカラー画像光はレジズレがなく、且つ、フォーカスが合った良好な状態となる。
【００１７】
更に、請求項２記載の発明によると、とくに、一つ以上の位置決めピン支持板及び反射型空間光変調素子支持板は、各色光用の支持部材と同じ材料を用いたため、一つ以上の位置決めピン支持板及び反射型空間光変調素子支持板並びに各色光用の支持部材に生じる熱膨張や熱収縮を同じ程度に抑えることができる。
【発明を実施するための最良の形態】
【００１８】
以下に本発明に係る投射型表示装置の一実施例について図１〜図５を参照して詳細に説明する。
【実施例】
【００１９】
図１は本発明に係る実施例の投射型表示装置を説明するための平面図、
図２（ａ），（ｂ）は本発明に係る実施例の投射型表示装置において、各色光用の三角柱状支持部材と３色合成クロスダイクロイックプリズムとをベース台の上面に固定する状態を示した斜視図，側面図、
図３は本発明に係る実施例の投射型表示装置において、Ｒ，Ｇ，Ｂ光用の各反射型液晶パネル組立体を拡大して示した斜視図、
図４（ａ）〜（ｃ）は本発明に係る実施例の投射型表示装置において、反射型液晶パネル組立体内のワイヤグリッド偏光子を説明するための図である。
【００２０】
図１に示した如く、本発明に係る実施例の投射型表示装置１０は、後述するようにＲ光，Ｇ光，Ｂ光にそれぞれ対応した空間光変調素子として光を反射する反射型を用いて構成されている。
【００２１】
この実施例の投射型表示装置１０では、無偏光の白色光を出射する光源１１と、光源１１からの白色光をＲ光（赤色光），Ｇ光（緑色光），Ｂ光（青色光）に色分解する色分解光学系１７〜１９と、Ｒ，Ｇ，Ｂ光用の各反射型空間光変調素子（以下、反射型液晶パネルと記す）３３と、Ｒ，Ｇ，Ｂ光用の各反射型液晶パネル３３でそれぞれ光変調された各色の変調画像光を色合成する３色合成クロスダイクロイックプリズム４０と、この３色合成クロスダイクロイックプリズム４０で得られた色合成画像光を投射する投射レンズ４２とが同一平面上に配置されている。
【００２２】
まず、光源１１はメタルハライドランプ，キセノンランプ，ハロゲンランプなどを用いてＲ光，Ｇ光，Ｂ光を含んだ無偏光の白色光を出射しており、この光源１１から出射した白色光が放物面鏡１２で反射されることにより、略々平行光となって放物面鏡１２の前面に取り付けた第１のフライアイレンズアレイ１３と、この第１のフライアイレンズアレイ１３の前方に設けた第２のフライアイレンズアレイ１４とに順に入射される。これら第１，第２のフライアイレンズアレイ１３，１４は、対をなして白色光の光束内の照度分布を均一化するためのインテグレータを構成している。尚、光源１１の前方に、紫外光及び赤外光をカットする図示しない可視外光除去フィルタを配置しても良い。
【００２３】
この後、第１，第２のフライアイレンズアレイ１３，１４により照度分布を均一化された無偏光の白色光は、偏光変換光学素子となる偏光変換プリズムアレイ１５に入射される。この偏光変換プリズムアレイ１５は、偏光分離プリズムアレイと、λ／２位相差板とを有して、全体として平板状に構成されている。即ち、この偏光変換プリズムアレイ１５に入射した光は、まず、偏光分離プリズムアレイが有する偏光ビームスプリッタ膜面により、この偏光ビームスプリッタ膜面に対するＰ偏光成分とＳ偏光成分とに分離される。
【００２４】
この際、偏光変換プリズムアレイ１５の偏光ビームスプリッタ膜面は、平行なストライプ状に複数設けられており、それぞれが偏光変換プリズムアレイ１５の主面に対して４５°の傾斜を有している。この偏光ビームスプリッタ膜面において、Ｐ偏光成分は透過して偏光変換プリズムアレイ１５の前面側に出射され、Ｓ偏光成分は反射される。一つの偏光ビームスプリッタ膜面によって反射されたＳ偏光成分は、光路を９０°曲げられ、隣接する他の偏光ビームスプリッタ膜面によって再び反射されて光路を９０°曲げられて、偏光変換プリズムアレイ１５の前面側に出射される。
【００２５】
そして、このようなＳ偏光成分が出射される領域には、λ／２位相差板が設けられている。このλ／２位相差板を透過したＳ偏光成分は、偏光方向を９０°回転され、偏光ビームスプリッタ膜面を透過したＰ偏光成分（または、偏光ビームスプリッタ膜面に２回反射されたＳ偏光成分）と同一の偏光方向となされる。このようにして、光源１１からの無偏光の白色光が偏光変換プリズムアレイ１５を透過した後に、所定の一方向の偏光光となされている。
【００２６】
この実施例の形態においては、偏光変換プリズムアレイ１５を透過した光は、図１中の符号で示すように、所定の一方向の偏光光として例えばＰ偏光光に変換されている。ただし、偏光変換プリズムアレイ１５における偏光変換効率は１００％ではなく、この偏光変換プリズムアレイ１５からの出射光には、数％乃至数十％のＳ偏光成分が混入している。
【００２７】
尚、以下では、偏光変換プリズムアレイ１５によって得られる所定の一方向の偏光光を第１偏光成分光であるＰ偏光光として説明するが、これに限られるわけではなく、光源１１からの白色光を偏光変換プリズムアレイ１５でＳ偏光光に偏光変換する方法も可能である。
【００２８】
この後、偏光変換プリズムアレイ１５を透過したＰ偏光光（第１偏光成分光）の白色光は、フィールドレンズ１６を経て、第１のダイクロイックミラー１７に入射する。この第１のダイクロイックミラー１７では、Ｒ光，Ｇ光，Ｂ光を含んだ白色光からＲ光及びＧ光の２色の成分を反射させて９０°方向を変え、残りのＢ光を透過させてそのまま直進させている。
【００２９】
そして、第１のダイクロイックミラー１７で反射されたＲ光及びＧ光は、第１の金属膜反射ミラー１８に入射し、この第１の金属膜反射ミラー１８で反射されて９０°方向を変えた後に第２のダイクロイックミラー１９に入射する。この第２のダイクロイックミラー１９では、Ｒ光を透過させてそのまま直進させて、Ｒ光をＲ光用反射型液晶パネル組立体３０Ｒに入射させる一方、Ｇ光を反射させて９０°方向を変えて、Ｇ光をＧ光用反射型液晶パネル組立体３０Ｇに入射させている。
【００３０】
また、第１のダイクロイックミラー１７を透過したＢ光は、第２，第３の金属膜反射ミラー２０，２１で順に反射されてＢ光用反射型液晶パネル組立体３０Ｂに入射される。
【００３１】
上記から第１，第２のダイクロイックミラー１７，１９が光源１１からの白色光をＲ光，Ｇ光，Ｂ光に色分解する色分解光学系を構成しており、且つ、光源１１から色分解光学系１７，１９までの各構成部材が、Ｒ光，Ｇ光，Ｂ光を、各色光用の反射型液晶パネル（反射型空間光変調素子）３３にそれぞれ照明するための各色光照明手段となっている。
【００３２】
尚、この実施例では、光源１１からの白色光を色分解光学系１７，１９によりＲ光，Ｇ光，Ｂ光に色分解させた例を用いて説明しているが、これに限ることなく、例えば、Ｒ光，Ｇ光，Ｂ光をそれぞれ出射するＲ光用，Ｇ光用，Ｂ光用の各ＬＥＤ光源を用いれば、色分解光学系１７，１９を設ける必要がなくなるので、各色光照明手段となる各色光用のＬＥＤ光源からそれぞれ出射したＲ光，Ｇ光，Ｂ光の各一方向の偏光成分（第１偏光成分）を、各色光に対応した各色光用の反射型液晶パネル３３にそれぞれ直接照明しても良いものである。
【００３３】
ここで、Ｒ光用反射型液晶パネル組立体３０Ｒ及びＧ光用反射型液晶パネル組立体３０Ｇ並びにＢ光用反射型液晶パネル組立体３０Ｂは全て同一に構成されており、且つ、Ｒ光用反射型液晶パネル組立体３０Ｒ及びＧ光用反射型液晶パネル組立体３０Ｇ並びにＢ光用反射型液晶パネル組立体３０Ｂは、直方体形状に形成された色合成光学系となる３色合成クロスダイクロイックプリズム４０の各入射面４０ａ〜４０ｃに対向して近接配置されている。
【００３４】
この際、Ｒ光用反射型液晶パネル組立体３０Ｒ及びＧ光用反射型液晶パネル組立体３０Ｇ並びにＢ光用反射型液晶パネル組立体３０Ｂと、３色合成クロスダイクロイックプリズム４０は、図２に示したように、ファインセラミックスとか、バルクモールディングコンパウンド（ＢＭＣ）などのプラスチック材料や、ニッケル合金材料などを用いて形成したベース台２５の上面２５ａ上に取り付けられている。
【００３５】
具体的には、ベース台２５の上面２５ａに３色合成クロスダイクロイックプリズム４０の下面４０ｇが接着剤を用いて固定され、且つ、ベース台２５の裏面２５ｂから複数のネジ２６をベース台２５に穿設した複数の取り付け孔２５ｃ内に挿入して、これら複数のネジ２６を各色光用の三角柱状支持部材３１の下面３１ａに形成した各ネジ孔（図示せず）に締結することで、各色光用の三角柱状支持部材３１の下面３１ａがベース台２５の上面２５ａに固定されている。尚、各色光用の三角柱状支持部材３１の下面３１ａをベース台２５の上面２５ａに接着剤を用いて固定しても良い。
【００３６】
更に、図３に拡大して示した如く、Ｒ光用反射型液晶パネル組立体３０Ｒ及びＧ光用反射型液晶パネル組立体３０Ｇ並びにＢ光用反射型液晶パネル組立体３０Ｂのそれぞれは、アルミ板材とかステンレス板材などを用いて直角三角形状の下面３１ａ及び上面３１ｂとの間に、各色光照明手段による各色光の光軸に対して４５°傾けた第１面３１ｃと、この第１面３１ｃを挟んで互いに直交した第２面３１ｄ及び第３面３１ｅとをそれぞれ枠状に形成して、各面３１ａ〜３１ｅで囲まれた内部を中空状の空洞に形成した三角柱状支持部材（直角三角柱）３１を各色光ごとに用意している。
【００３７】
そして、各色光用の三角柱状支持部材３１内で各色光照明手段による各色光の光軸に対して４５°傾けて配置した第１面３１ｃに各色光照明手段からの各色光中に含まれる第１偏光成分の各色光を透過させた後に各色光用の反射型液晶パネル３３に入射して光変調・反射された第２偏光成分の各色光を反射させる各色光用のワイヤグリッド偏光子３２が接着剤などを用いて取り付けられ、且つ、各色光用のワイヤグリッド偏光子３２を透過させた各透過光の光軸に対して直交して配置した第２面３１ｄに各色光用の反射型液晶パネル３３が後述する反射型液晶パネル位置調整機構部５０（又は５０Ａ〜５０Ｃ）を介して取り付けられている。
【００３８】
更に、各色光用の反射型液晶パネル３３からの反射光を各色光用のワイヤグリッド偏光子３２で反射させた各反射光の光軸に対して直交して配置した第３面３１ｅに各色光用のワイヤグリッド偏光子３２で反射された第２偏光成分の各色光から不要な第１偏光成分の各色光を除去して出射させる各色光用の透過型偏光板３５が接着剤を用いて取り付けられている。
【００３９】
尚、各色光用の三角柱状支持部材３１の第３面に、各色光用の透過型偏光板３５に代えて光透過性光学ガラス板（図示せず）を取り付けても良く、この場合には、不要な偏光成分を除去する各色光用の透過型偏光板（図示せず）を３色合成クロスダイクロイックプリズム４０の各入射面４０ａ〜４０ｃに接着剤を用いて固着させれば良い。従って、各色光用の三角柱状支持部材３１の第３面には、透過型偏光板３５又は光透過性光学ガラス板（図示せず）などの光透過性光学板を取り付ければ良い。
【００４０】
更に、三角柱状支持部材３１の下面３１ａ及び上面３１ｂと第１面３１ｃ〜第３面３１ｅとで直角三角柱状に囲まれた内部空間に窒素又はアルゴンなどの不活性ガスを１気圧以上の気圧状態で封入させて塵埃などに対して密閉させた状態で、各色光用の透過型偏光板３５側を３色合成クロスダイクロイックプリズム４０の各入射面４０ａ〜４０ｃに対してそれぞれ隙間を隔てて対向させている。
【００４１】
尚、上記した三角柱状支持部材３１は、直角三角柱に限定されるものでもなく、即ち、各色光用のワイヤグリッド偏光子３２を接着した第１面３１ｃと各色光用の反射型液晶パネル３３を接着した第２面３１ｄとのなす角度が４５°であることが必要であるものの、第１面３１ｃに接着した各色光用のワイヤグリッド偏光子３２で反射させた第２偏光成分の各色光を第３面３１ｅから透過できれば良いので、第２面３１ｄと第３面３１ｅのなす角度は９０°に限定されるものではない。
【００４２】
尚更に、投射型表示装置１０（図１）内で塵埃対策が十分施されている場合には、実施例の三角柱状支持部材３１に限定されるものでなく、３色合成クロスダイクロイックプリズム４０の各入射面４０ａ〜４０ｃに対向して近接配置され、入射した各色光の光軸に対して４５°の傾斜角を持って各色光用のワイヤグリッド偏光子３２が取り付けられる第１面と、各色光用のワイヤグリッド偏光子３２を透過させた各色光の第１偏光成分光の光軸に対して直交して配置されて各色光用の反射型液晶パネル３３が後述する反射型液晶パネル位置調整機構部５０（又は５０Ａ〜５０Ｃ）を介して取り付けられる第２面とを少なくとも有した各色光用の支持部材であっても良い。
【００４３】
また、各色光用の三角柱状支持部材３１にそれぞれ取り付けたワイヤグリッド偏光子３２及び反射型液晶パネル３３並びに透過型偏光板３５は、ベース台２５（図２）に対して垂設されている。
【００４４】
また、反射型液晶パネル３３は、この反射型液晶パネル３３を冷却するためのヒートシンク３４が裏面に取り付けられており、且つ、このヒートシンク３４の裏面にフィン部３４ａが突出形成されている。尚、反射型液晶パネル３３の前面に波長板（図示せず）を必要に応じて取り付けても良い。
【００４５】
そして、例えば、Ｒ光用反射型液晶パネル組立体３０ＲにＰ偏光成分（第１偏光成分）のＲ光を入射させる時に、このＰ偏光成分のＲ光を三角柱状支持部材３１に取り付けたワイヤグリッド偏光子３２を透過させて、Ｒ光用の反射型液晶パネル３３に入射させている。
【００４６】
上記したワイヤグリッド偏光子３２は、従来技術で説明したような偏光ビームスプリッタと同じ偏光分離機能を備えているものの、偏光ビームスプリッタは熱応力によるシェーディングを発生させないために透明なガラスの中に鉛が混入されているのに対してワイヤグリッド偏光子３２は地球環境問題上で有害である鉛は使用されていなので公害問題の発生がない。
【００４７】
また、上記したワイヤグリッド偏光子２３は、図４（ａ）に示した如く、光学ガラス板３２ａ上に、アルミニウムなどの金属線３２ｂを例えば１４０ｎｍのピッチで規則正しくストライプ状に多数本並べて形成したものであり、金属線３２ｂに垂直な偏光成分（例えば、Ｐ偏光光）をそのまま透過させ、且つ、金属線３２ｂに平行な偏光成分（例えば、Ｓ偏光光）は反射する機能を有している。
【００４８】
そして、図４（ｂ）に示した如く、ワイヤグリッド偏光子３２へのＰ偏光光による入射光の入射角θをパラメータとした時に、Ｐ偏光成分の透過率の波長依存性を図４（ｃ）に示している。この図４（ｃ）において、ａはワイヤグリッド偏光子３２へのＰ偏光光による入射光の入射角θが０°、ｂは入射角θが−１５°、ｃは入射角θが＋１５°の場合を示している。尚、入射角θは、ワイヤグリッド偏光子３２への入射光が光軸に対してなす角度であり、ワイヤグリッド偏光子３２の入射面は光軸に対して４５°傾斜されている。このワイヤグリッド偏光子３２においては、入射角θが±１５°に達しても、Ｐ偏光光の透過率の波長依存性は、可視波長領域で極めて小さく、安定している。
【００４９】
このため、ワイヤグリッド偏光子３２を用いると、明るく、色再現性の良好な表示画像が得られることがわかる。また、ワイヤグリッド偏光子３２は、一枚の板状の偏光分離板であるので、軽量である。また、ワイヤグリッド偏光子３２は、光源１１（図１）から発せられる光を吸収しにくいため、複屈折による表示画像の品質低下を抑えることができる。
【００５０】
再び図１に戻り、Ｒ光用のワイヤグリッド偏光子３２を透過したＰ偏光光によるＲ光がＲ光用の反射型液晶パネル３３に入射すると、Ｒ光用の反射型液晶パネル３３内でＲ光の画像信号に応じて光変調された後に反射された光束は再びＲ光用のワイヤグリッド偏光子３２に戻る。ここで、Ｒ光用のワイヤグリッド偏光子３２においては、Ｒ光用の反射型液晶パネル３３を照明する第１偏光成分のＲ光であるＰ偏光光とは異なって、反射型液晶パネル３３で光変調・反射された第２偏光成分のＲ光であるＳ偏光光（第２偏光成分光）の光束のみを反射する。
【００５１】
この際、反射型液晶パネル３３は、シリコン基板上にスイッチング素子をマトリックス状に設けると共にこの上方に絶縁層を介してアルミニウムなどの金属からなる画素電極をマトリックス状に複数設け、この複数の画素電極と透明基板に設けた共通電極との間に液晶を封入して、複数の画素電極と共通電極との間に電圧を印加して、透明基板側から入射させた入射光に各色光の画像信号に応じて光変調し、この入射光を複数の画素電極で反射させた変調画像光を出射するように反射型として構成されている。このような反射型液晶パネル３３は、画素集積度が高いので高解像度画像に適しており、また、複数の画素電極の下方に回路構造を積層できるので、開口率を９０％程度に高めることができ、明るく滑らかで細密な画像を表示できるという長所がある。
【００５２】
この後、Ｒ光用のワイヤグリッド偏光子３２で反射されたＳ偏光光（第２偏光成分光）によるＲ光は、Ｒ光用の三角柱状支持部材３１内で３色合成クロスダイクロイックプリズム４０の入射面４０ａと対向して配置されたＲ光用の不要偏光光除去手段となる透過型偏光板３５に入射され、この透過型偏光板３５で不要な第１偏光成分のＲ光であるＰ偏光光を除去しながら透過型偏光板３５を透過したＳ偏光成分（第２偏光成分）のＲ光を３色合成クロスダイクロイックプリズム４０の入射面４０ａから入射させている。
【００５３】
この際、上記した不要偏光光除去手段となる透過型偏光板３５は、ワイヤグリッド偏光子３２で反射された反射光に不要偏光光であるＰ偏光光が混入されている場合に、このままでは表示画像のコントラスト比が低下する要因となるので、不要なＰ偏光光を除去するために設けられている。
【００５４】
そして、透過型偏光板３５としては、基材フィルム（ポリビニルアルコール；ＰＶＡ）にヨウ素や有機染料などの二色性の材料を染色、吸着させ、高度に延伸、配向させることで、吸収二色性を発現させているものである。このＰＶＡ偏光層をＴＡＣ（トリアセチルセルロース）層で挟んだ偏光フィルムを、ガラス基板上に粘着材、または、接着剤で貼り付けた構成である。このような吸収二色性を基本原理とした透過型偏光板３５は、入射する光束の直交する偏光成分のうち、二色性染料の配列と同方向の偏光成分を吸収し、他方の偏光成分を透過する。
【００５５】
この透過型偏光板３５は光吸収型であるので、耐熱性、放熱性を考慮し、水晶やサファイアなどの熱伝導性に優れた基板を用いて構成することが望ましい。光利用率の向上のためと、界面での不要反射光による表示画像の品位低下を防止するため、透過型偏光板３５の空気界面には、減反射コートを施す必要がある。これらの偏光特性、反射防止膜特性は、Ｒ，Ｇ，Ｂ各色について最適化されることが望ましい。
【００５６】
また、透過型偏光板３５は、片面フィルムで構成しても良いが、フィルムの表面を波長オーダで平坦化するのは困難であるので、このフィルム表面の非平面性が波面収差となり、解像度を劣化させる要因となる。そこで、より高い解像度を実現するためには、この偏光フィルムを平坦な光学研磨の施された基板（白板ガラス、光学ガラス、水晶、石英、サファイアなど）で挟み、接着剤、または、粘着材でフィルムの凹凸を埋めることで、解像度劣化を防ぐことができる。
【００５７】
以下、上記したＲ光と同様に、Ｇ光及びＢ光をＧ光用反射型液晶パネル組立体３０Ｇ及びＢ光用反射型液晶パネル組立体３０Ｂに入射させた時に、Ｇ光用及びＢ光用の反射型液晶パネル３３，３３で光変調されて反射されたＳ偏光光のＧ光及びＢ光を３色合成クロスダイクロイックプリズム４０の入射面４０ｂ及び入射面４０ｃから入射させている。
【００５８】
この後、３色合成クロスダイクロイックプリズム４０の各入射面４０ａ〜４０ｃから入射されたＲ光，Ｇ光，Ｂ光の各変調画像光は、３色合成クロスダイクロイックプリズム４０内に形成した第１，第２ダイクロイック膜４０ｅ，４０ｆによって色合成され、この色合成クロスダイクロイックプリズム４０で得られた色合成画像光が出射面４０ｄから出射されて１／４波長板４１を介して投射レンズ４２に入射され、この投射レンズ４２によって図示しないスクリーン上に拡大投射されて実像を結像し、色合成画像光を表示している。
【００５９】
上記した３色合成クロスダイクロイックプリズム４０は、光学ガラスを用いて直方体（立方体も含む）に形成されており、上面から見た時に第１，第２ダイクロイック膜４０ｅ，４０ｆがＸ字状にクロスしている。
【００６０】
この際、３色合成クロスダイクロイックプリズム４０内の第１ダイクロイック膜４０ｅは、入射面４０ａから入射したＲ光を反射して９０°方向を変えて出射面４０ｄから出射させ、且つ、入射面４０ｂから入射したＧ光をそのまま透過して出射面４０ｄから出射させ、入射面４０ｃから入射したＢ光も透過させる機能を備えている。
【００６１】
また、３色合成クロスダイクロイックプリズム４０内の第２ダイクロイック膜４０ｆは、入射面４０ｃから入射したＢ光を反射して９０°方向を変えて出射面４０ｄから出射させ、且つ、入射面４０ｂから入射したＧ光をそのまま透過して出射面４０ｄから出射させ、入射面４０ａから入射したＲ光も透過させる機能を備えている。
【００６２】
従って、３色合成クロスダイクロイックプリズム４０内に形成した第１，第２ダイクロイック膜４０ｅ，４０ｆで３色合成が可能になっている。
【００６３】
また、３色合成クロスダイクロイックプリズム４０と投射レンズ４２との間に配置した１／４波長板４１は、投射レンズ４２のレンズ表面からの微量な反射光が３色合成クロスダイクロイックプリズム４０，透過型偏光板３５，ワイヤグリッド偏光子３２を介して反射型液晶パネル３３側に戻り、再度反射されてスクリーンに達し、ゴースト状に不要光が現われるのを防ぐためのものであり、この１／４波長板４１は必要に応じて設置すれば良いものである。
【００６４】
ここで、実施例の要部の一部を構成する反射型液晶パネル位置調整機構部について図５〜図７を用いて説明する。
【００６５】
図５は本発明に係る実施例の投射型表示装置において、反射型液晶パネル位置調整機構部の実施例を説明するために分解して示した分解斜視図、
図６は本発明に係る実施例の投射型表示装置において、反射型液晶パネル位置調整機構部の変形例１を説明するために分解して示した分解斜視図、
図７は本発明に係る実施例の投射型表示装置において、反射型液晶パネル位置調整機構部の変形例２を説明するために分解して示した分解斜視図、
図８は本発明に係る実施例の投射型表示装置において、反射型液晶パネル位置調整機構部の変形例３を説明するために分解して示した分解斜視図である。
【００６６】
まず、図５に示した実施例の反射型液晶パネル位置調整機構部５０では、三角柱状支持部材３１の第１面３１ｃにワイヤグリッド偏光子３２を取り付け、且つ、第３面３１ｅに透過型偏光板３５を取り付けた状態で、第２面３１ｄ側に取り付ける反射型液晶パネル３３を第２面３１ｄに対して取り付け位置調整（レジストレーション調整）した上で、この反射型液晶パネル３３が光軸方向Ｋに調整可能に構成されている。
【００６７】
具体的に説明すると、三角柱状支持部材３１の第２面３１ｄ内には、反射型液晶パネル３３の画枠の大きさに対応した矩形孔３１ｄ１が貫通して穿設されていると共に、この矩形孔３１ｄ１の近傍で上下左右に合計４個のネジ孔３１ｄ２が形成されている。
【００６８】
また、三角柱状支持部材３１の第２面３１ｄの図示手前側には、ステンレス棒材を用いて各先端をテーパ状に形成した２本の位置決めピン５１を反射型液晶パネル３３の光軸方向Ｋに向かって左右に圧入などにより固着させ、且つ、左右２本の位置決めピン５１間に２個の取り付け用丸孔５２ａを貫通して穿設した一対の位置決めピン支持板５２，５２が、同一形状で上下に分かれて２個用意されている。これら一対の位置決めピン支持板５２，５２は、三角柱状支持部材３１の第２面３１ｄに形成した矩形孔３１ｄ１を塞がないように細い幅で板状に形成されている。
【００６９】
そして、一対の位置決めピン支持板５２，５２は、合計４本のネジ５３を各取り付け用丸孔５２ａ内に挿入して、三角柱状支持部材３１の第２面３１ｄの上下に形成した各ネジ孔３１ｄ２に着脱自在に取り付けられている。
【００７０】
また、一対の位置決めピン支持板５２，５２よりも図示手前側には、反射型液晶パネル３３と、反射型液晶パネル支持板５４とが用意されている。
【００７１】
上記した反射型液晶パネル支持板５４は、三角柱状支持部材３１の第２面３１ｄの外形寸法と略同じ寸法で矩形状の平板に形成されており、且つ、内部に反射型液晶パネル３３の裏面に取り付けたヒートシンク３４のフィン部３４ａが臨む矩形孔５４ａが貫通して穿設されていると共に、この矩形孔５４ａの近傍で上下左右に合計４個の位置決め孔５４ｂが上記した一対の位置決めピン支持板５２，５２にそれぞれ固着した合計４本の位置決めピン５１に位置合わせして貫通して形成され、更に、上側及び下側の左右２本の位置決め孔５４ｂ間に上記した合計４本のネジ５３を挿脱するための逃げ孔５４ｃが合計４個貫通して穿設されている。
【００７２】
この際、上記した一対の位置決めピン支持板５２，５２及び反射型液晶パネル支持板５４は、アルミ板材とかステンレス板材などを用いて形成した三角柱状支持部材３１と同一材料を用いて形成されており、これにより三角柱状支持部材３１及び一対の位置決めピン支持板５２並びに反射型液晶パネル支持板５４に生じる熱膨張や熱収縮を同じ程度に抑えることができるようになっている。
【００７３】
そして、反射型液晶パネル３３を三角柱状支持部材３１の第２面３１ｄ側に取り付ける場合には、反射型液晶パネル３３の裏面にヒートシンク３４を取り付けた上で、２本の位置決めピン５１を固着した一対の位置決めピン支持板５２，５２を三角柱状支持部材３１の第２面３１ｄの上下に予め取り付けておく。更に、反射型液晶パネル支持板５４の上下左右に形成した合計４個の位置決め孔５４ｂ内に一対の位置決めピン支持板５２，５２に固着した合計４本の位置決めピン５１を嵌合させて反射型液晶パネル支持板５４を各位置決めピン５１に仮に支持しておく。
【００７４】
この後、ロボットアーム（図示せず）に把持したヒートシンク３４を取り付けた反射型液晶パネル３３を一対の位置決めピン支持板５２，５２と反射型液晶パネル支持板５４との間に挿入して、このヒートシンク３４を取り付けた反射型液晶パネル３３をロボットアームを介して三角柱状支持部材３１の第２面３１ｄに対してＸ方向及び／又はＹ方向に二次元的に移動させて取り付け位置調整（レジストレーション調整）を行った後に、この取り付け位置調整状態を保ったまま反射型液晶パネル３３の裏面に取り付けられたヒートシンク３４を反射型液晶パネル支持板５４にＵＶ硬化型接着剤を用いてＵＶ光（紫外線）の照射により接着している。
【００７５】
この際、反射型液晶パネル３３のレジストレーション調整は、図１に示したＲ光用反射型液晶パネル組立体３０Ｒ，Ｇ光用反射型液晶パネル組立体３０Ｇ，Ｂ光用反射型液晶パネル組立体３０Ｂをそれぞれ組み立てておき、３つの反射型液晶パネル組立体３０Ｒ，３０Ｇ，３０Ｂのうちで例えばＧ光用反射型液晶パネル組立体３０Ｇをレジストレーション調整時の基準ユニットに設定している。
【００７６】
この理由を説明すると、カラー画像光を不図示のスクリーン上に投射した時に、Ｒ，Ｇ，Ｂの３原色の中でＧ光は最も解像度に影響を与える。また、Ｒ光はその次に解像度に影響を与え、Ｂ光は解像度に影響を与える割合が比較的少ない。従って、反射型液晶パネル３３のレジストレーション調整は相対的な変位調整であるので、最も解像度に影響するＧ光用反射型液晶パネル組立体３０Ｇ内の反射型液晶パネル３３を最初に位置決めしておき、このＧ光用反射型液晶パネル組立体３０Ｇ内の反射型液晶パネル３３からの変調画像光に合わせるようにＲ光用反射型液晶パネル組立体３０Ｒ，Ｂ光用反射型液晶パネル組立体３０Ｂ内の各反射型液晶パネル３３に対して取り付け位置調整（レジストレーション調整）を行えば、各色光用の反射型液晶パネル３３からの各色の変調画像光を３色合成クロスダイクロイックプリズム４１で色合成した時にレジズレのないカラー画像光が得られる。
【００７７】
図５に戻り、更に、取り付け位置調整済みの反射型液晶パネル３３の裏面に取り付けられたヒートシンク３４を接着した反射型液晶パネル支持板５４を合計４本の位置決めピン５１に沿いながら反射型液晶パネル３３の光軸方向Ｋに移動させて取り付け位置調整（フォーカス調整）を行って、フォーカス調整状態を保ったまま合計４本の位置決めピン５１を合計４個の位置決め孔５４ｂ内にＵＶ硬化型接着剤を用いてＵＶ光（紫外線）の照射により接着している。
【００７８】
これにより、反射型液晶パネル３３は、レジストレーション調整と、フォーカス調整とが終了した状態で三角柱状支持部材３１の第２面３１ｄ側に取り付けられているので、各色光用の反射型液晶パネル３３からの各色の変調画像光を３色合成クロスダイクロイックプリズム４１で色合成した時に、レジズレがなく、且つ、フォーカスが合ったカラー画像光が得られる。
【００７９】
また、何らかの理由で反射型液晶パネル３３を交換する場合には、反射型液晶パネル支持板５４の上下左右に形成した逃げ孔５４ｃ内にドライバー（図示せず）を挿入して、一対の位置決めピン支持板５２，５２ごと取り外すことが可能である。
【００８０】
次に、図６に示した変形例１の反射型液晶パネル位置調整機構部５０Ａは、先に図５を用いて説明した実施例の反射型液晶パネル位置調整機構部５０内で上下に分離して設けた一対の位置決めピン支持板５２，５２に代えてこれらを一体化した１個の位置決めピン支持板５５に置換されているだけであるので、実施例の反射型液晶パネル位置調整機構部５０と同じ部材に同一符番を付して図示し、ここでは実施例に対して異なる点のみを説明する。
【００８１】
即ち、変形例１の反射型液晶パネル位置調整機構部５０Ａにおいて、三角柱状支持部材３１の第２面３１ｄの図示手前側に取り付けられる１個の位置決めピン支持板５５は、アルミ板材とかステンレス板材などを用いて形成した三角柱状支持部材３１と同一材料を用いて三角柱状支持部材３１の第２面３１ｄの外形寸法と略同じ寸法で矩形状の平板に形成されているので、これにより三角柱状支持部材３１及び反射型液晶パネル支持板５４並びに位置決めピン支持板５５に生じる熱膨張や熱収縮を同じ程度に抑えることができるようになっている。
【００８２】
また、位置決めピン支持板５５の内部には、反射型液晶パネル３３の画枠の大きさに対応した矩形孔５５ａが貫通して穿設されていると共に、この矩形孔５５ａの近傍で上下左右に各先端をテーパ状に形成した合計４個の位置決めピン５１が反射型液晶パネル３３の光軸方向Ｋに向かって圧入などにより固着され、且つ、上側及び下側の左右２本の位置決めピン５１間に合計４個の取り付け用丸孔５５ｂが貫通して穿設されている。
【００８３】
そして、位置決めピン支持板５５は、合計４本のネジ５３を各取り付け用丸孔５５ｂ内に挿入して、三角柱状支持部材３１の第２面３１ｄの上下に形成した各ネジ孔３１ｄ２に着脱自在に取り付けられ、上記した実施例に対して位置決めピン支持板の部品点数の削減を図っている。
【００８４】
従って、この変形例１でも、ロボットアームを介してヒートシンク３４を取り付けた反射型液晶パネル３３を三角柱状支持部材３１の第２面３１ｄに対して二次元的に取り付け位置調整を行った状態を保ったまま反射型液晶パネル３３の裏面に取り付けられたヒートシンク３４を反射型液晶パネル支持板５４にＵＶ硬化型接着剤を用いてＵＶ光（紫外線）の照射により接着し、この後、取り付け位置調整済みの反射型液晶パネル３３を接着した反射型液晶パネル支持板５４を合計４本の位置決めピン５１に沿いながら反射型液晶パネル３３の光軸方向Ｋに移動させて取り付け位置調整（フォーカス調整）を行い、反射型液晶パネル支持板５４を合計４本の位置決めピン５１に接着している。
【００８５】
次に、図７に示した変形例２の反射型液晶パネル位置調整機構部５０Ｂは、先に図５を用いて説明した実施例の反射型液晶パネル位置調整機構部５０内で反射型液晶パネル３３の裏面に取り付けられたヒートシンク３４の反射型液晶パネル支持板５４側の面をスペーサ板５６に合計４本のネジ５７を用いて予め固定し、これに伴って、反射型液晶パネル支持板５４に合計４本のネジ５７を逃げるための逃げ孔５４ｄが合計４個貫通して穿設されている点が異なっているだけであるので、実施例の反射型液晶パネル位置調整機構部５０と同じ部材に同一符番を付して図示し、ここでは実施例に対して異なる点のみを説明する。
【００８６】
即ち、変形例２の反射型液晶パネル位置調整機構部５０Ｂにおいて、反射型液晶パネル３３の裏面に取り付けられたヒートシンク３４の反射型液晶パネル支持板５４側の面に取り付けられるスペーサ板５６は、アルミ板材とかステンレス板材などを用いて形成した三角柱状支持部材３１と同一材料を用いて反射型液晶パネル３３の外形寸法と略同じ寸法で矩形状の平板に形成されている。
【００８７】
この変形例２において、反射型液晶パネル３３を三角柱状支持部材３１の第２面３１ｄ側に取り付ける場合には、反射型液晶パネル３３の裏面にヒートシンク３４を取り付けた上で、２本の位置決めピン５１を固着した一対の位置決めピン支持板５２，５２を三角柱状支持部材３１の第２面３１ｄの上下に予め取り付けておき、且つ、反射型液晶パネル３３の裏面に取り付けられたヒートシンク３４の反射型液晶パネル支持板５４側の面にスペーサ板５６を予め取り付けておく。更に、反射型液晶パネル支持板５４の上下左右に形成した合計４個の位置決め孔５４ｂ内に一対の位置決めピン支持板５２，５２に固着した合計４本の位置決めピン５１を嵌合させて反射型液晶パネル支持板５４を各位置決めピン５１に仮に支持しておく。
【００８８】
この後、スペーサ板５６にヒートシンク３４を介して取り付けた反射型液晶パネル３３をロボットアーム（図示せず）を介して一対の位置決めピン支持板５２，５２と反射型液晶パネル支持板５４との間に挿入して、この反射型液晶パネル３３をロボットアームを介して三角柱状支持部材３１の第２面３１ｄに対してＸ方向及び／又はＹ方向に二次元的に移動させて取り付け位置調整（レジストレーション調整）を行った後に、この取り付け位置調整状態を保ったまま反射型液晶パネル３３をヒートシンク３４を介して取り付けたスペーサ板５６を反射型液晶パネル支持板５４にＵＶ硬化型接着剤を用いてＵＶ光（紫外線）の照射により接着している。
【００８９】
更に、反射型液晶パネル支持板５４を合計４本の位置決めピン５１に沿いながらここに接着したスペーサ板５６と一体に反射型液晶パネル３３を光軸方向Ｋに移動させて取り付け位置調整（フォーカス調整）を行って、フォーカス調整状態を保ったまま合計４本の位置決めピン５１を合計４個の位置決め孔５４ｂ内にＵＶ硬化型接着剤を用いてＵＶ光（紫外線）の照射により接着しているので、各色光用の反射型液晶パネル３３からの各色の変調画像光を３色合成クロスダイクロイックプリズム４１で色合成した時にフォーカスが合ったカラー画像光が得られる。
【００９０】
従って、変形例２では、実施例及び変形例１と異なって、反射型液晶パネル３３の裏面に取り付けられたヒートシンク３４を反射型液晶パネル支持板５４に直接接着することなく、スペーサ板５６を介して接着しているので、ヒートシンク３４を取り付けた反射型液晶パネル３３を交換する場合にヒートシンク３４をスペーサ板５６から取り外せば良いので、ヒートシンク３４を取り付けた高価な反射型液晶パネル３３を傷つけることなく交換可能となる。
【００９１】
次に、図８に示した変形例３の反射型液晶パネル位置調整機構部５０Ｃは、先に図７を用いて説明した変形例２の反射型液晶パネル位置調整機構部５０Ｂ内で上下に分離して設けた一対の位置決めピン支持板５２，５２に代えて変形例１と同様にこれらを一体化した１個の位置決めピン支持板５５に置換されているだけであるので詳細な説明を省略する。
【００９２】
この変形例３でも、実施例及び変形例１と異なって、反射型液晶パネル３３の裏面に取り付けられたヒートシンク３４を反射型液晶パネル支持板５４に直接接着することなく、スペーサ板５６を介して接着しているので、反射型液晶パネル３３を交換する場合に反射型液晶パネル３３の裏面に取り付けられたヒートシンク３４をスペーサ板５６から取り外せば良いので、ヒートシンク３４を取り付けた高価な反射型液晶パネル３３を傷つけることなく交換可能となる。
【図面の簡単な説明】
【００９３】
【図１】本発明に係る実施例の投射型表示装置を説明するための平面図である。
【図２】（ａ），（ｂ）は本発明に係る実施例の投射型表示装置において、各色光用の三角柱状支持部材と３色合成クロスダイクロイックプリズムとをベース台の上面に固定する状態を示した斜視図，側面図である。
【図３】本発明に係る実施例の投射型表示装置において、Ｒ，Ｇ，Ｂ光用の各反射型液晶パネル組立体を拡大して示した斜視図である。
【図４】（ａ）〜（ｃ）は本発明に係る実施例の投射型表示装置において、反射型液晶パネル組立体内のワイヤグリッド偏光子を説明するための図である。
【図５】本発明に係る実施例の投射型表示装置において、反射型液晶パネル位置調整機構部の実施例を説明するために分解して示した分解斜視図である。
【図６】本発明に係る実施例の投射型表示装置において、反射型液晶パネル位置調整機構部の変形例１を説明するために分解して示した分解斜視図である。
【図７】本発明に係る実施例の投射型表示装置において、反射型液晶パネル位置調整機構部の変形例２を説明するために分解して示した分解斜視図である。
【図８】本発明に係る実施例の投射型表示装置において、反射型液晶パネル位置調整機構部の変形例３を説明するために分解して示した分解斜視図である。
【符号の説明】
【００９４】
１０…投射型表示装置、
１１…光源、１２…放物面鏡、
１３…第１のフライアイレンズアレイ、１４…第２のフライアイレンズアレイ、
１５…偏光変換光学素子（偏光変換プリズムアレイ）、
１７…第１のダイクロイックミラー、１９…第２のダイクロイックミラー、
２５…ベース台、２５ａ…上面、２５ｂ…裏面、２６…ネジ、
２７…天板、２７ａ…裏面、２７ｂ…上面、２８…ネジ、
３０Ｒ…Ｒ光用反射型液晶パネル組立体、
３０Ｇ…Ｇ光用反射型液晶パネル組立体、
３０Ｂ…Ｂ光用反射型液晶パネル組立体、
３１…三角柱状支持部材、
３１ａ…下面、３１ｂ…上面、３１ｃ〜３１ｅ…第１面〜第３面、
３２…ワイヤグリッド偏光子、
３３…反射型空間光変調素子（反射型液晶パネル）、
３５…透過型偏光板、
４０…３色合成クロスダイクロイックプリズム、
４０ａ〜４０ｃ…入射面、４０ｄ…出射面、
４０ｅ，４０ｆ…第１，第２ダイクロイック膜、４０ｇ…下面、４０ｈ…上面、
４２…投射レンズ、
５０…実施例の反射型液晶パネル位置調整機構部、
５０Ａ…変形例１の反射型液晶パネル位置調整機構部、
５０Ｂ…変形例２の反射型液晶パネル位置調整機構部、
５０Ｃ…変形例３の反射型液晶パネル位置調整機構部、
５１…位置決めピン、５２，５２…一対の位置決めピン支持板、５３…ネジ、
５４…反射型液晶パネル支持板、５５…位置決めピン支持板、
５６…スペーサ板、５７…ネジ。
【図１】
2007183396.tif 000003
【図２】
2007183396.tif 000004
【図３】
2007183396.tif 000005
【図４】
2007183396.tif 000006
【図５】
2007183396.tif 000007
【図６】
2007183396.tif 000008
【図７】
2007183396.tif 000009
【図８】
2007183396.tif 000010